(57)【要約】      （修正有）【課題】ユーザが希望する任意の箇所に印刷することができるとともに、シート収容装置が印刷本体装置から離脱された状態におけるサーマルヘッドの加熱の危険性を解消することができる印刷機を提供する。【解決手段】印刷機１は、感熱式シートを収容するシート収容装置と、シート収容装置が着脱可能に構成される印刷本体装置と、シート収容装置に収容されたシートに孔版部分を形成するために駆動され、印刷本体装置２に配置されるサーマルヘッドと、シート収容装置が印刷本体装置に装着されたときにサーマルヘッドの駆動を許可し、シート収容装置が印刷本体装置２から離脱されたときにサーマルヘッドの駆動を禁止する駆動制御部と、を備える。【選択図】図１２
2016187867.tif 000002
【特許請求の範囲】
【請求項１】
感熱式シートを収容するシート収容装置と、
シート収容装置が着脱可能に構成される印刷本体装置と、
シート収容装置に収容された感熱式シートに孔版部分を形成するために駆動され、印刷本体装置に配置されるサーマルヘッドと、
シート収容装置が印刷本体装置に装着されたときにサーマルヘッドの駆動を許可し、シート収容装置が印刷本体装置から離脱されたときにサーマルヘッドの駆動を禁止する駆動制御部と、を備える印刷機。
【請求項２】
駆動制御部は、
印刷本体装置に対するシート収容装置の装着状態および離脱状態を検出するための検出部と、
検出部がシート収容装置の装着状態を検出したときに、サーマルヘッドへの電力供給を許可し、検出部がシート収容装置の離脱状態を検出したときに、サーマルヘッドへの電力供給を禁止する回路手段と、を含む請求項１に記載の印刷機。
【請求項３】
検出部は、
スイッチ手段と、
シート収容装置が印刷本体装置に装着されたときに、シート収容装置の一部分、またはシート収容装置に取り付けられた部材と係合可能に配置され、スイッチ手段を作動させるスイッチ作動部材と、を含み、
回路手段は、スイッチ手段の作動に従って、サーマルヘッドへの電力供給の許可、または、電力供給の禁止を行う請求項２に記載の印刷機。
【請求項４】
シート収容装置は、
帯状の感熱式シートが巻かれ、感熱式シートを供給するために回転可能なシート供給部材と、
シート供給部材から供給された感熱式シートを巻き取るシート巻取部材と、
シート供給部材から供給された感熱式シートを一定の姿勢に支持するシート支持部材と、
シート供給部材からシート支持部材に向かって感熱式シートを移送するために、印刷本体装置から動力が伝達されるシート移送部材と、を含む請求項１乃至請求項３のいずれかに記載の印刷機。
【請求項５】
シート収容装置は、シート供給部材を係止する係止機構を含み、
シート収容装置が印刷本体装置から離脱されたときに、シート供給部材が係止され、シート収容装置が印刷本体装置に装着されたときに、シート供給部材の係止が解除されるように、係止機構を作動させる作動機構を備える請求項４に記載の印刷機。
【請求項６】
係止機構は、
シート供給部材に固定され、外周面に沿って多数の係止溝が形成された回転体と、
回転体の係止溝と係合可能な係止爪を有する係止部材と、
係止爪が回転体の係止溝と係合するように係止部材を弾性力により付勢する付勢部材と、を含み、
作動機構は、
係止部材に連結された第１作動部材と、
シート収容装置が印刷本体装置に装着されたときに第１作動部材と係合可能に印刷本体装置に配置された第２作動部材と、を含み、
第２作動部材は、第１作動部材と係合したときに、係止爪を回転体の係止溝から離脱させる請求項５に記載の印刷機。
【請求項７】
印刷本体装置は、
シート移送部材と協働して感熱式シートを移送するために回転可能な移送ローラと、
シート移送部材にサーマルヘッドおよび移送ローラをそれぞれ接触させるための作動位置と、シート移送部材からサーマルヘッドおよび移送ローラをそれぞれ離間させるための離間位置との間で移動可能に、サーマルヘッドおよび移送ローラをそれぞれ支持する支持機構と、を含む請求項４乃至請求項６のいずれかに記載の印刷機。
【請求項８】
印刷本体装置は、
作動位置および離間位置の間でサーマルヘッドおよび移送ローラの支持位置を切り換えるために操作可能な操作部材と、
操作部材と支持機構とを作動的に連結する連結機構と、を含む請求項７に記載の印刷機。
【請求項９】
シート収容装置は、被覆シートが巻かれた被覆シート供給部材を含み、
被覆シート供給部材は、シート支持部材を通過した後の感熱式シートであって、シート巻取部材に巻き取られる前の感熱式シートを覆うために被覆シートを供給する請求項４乃至請求項８のいずれかに記載の印刷機。
【発明の詳細な説明】
【技術分野】
【０００１】
本発明は、帯状の感熱式シートを供給するシート供給部と、シート供給部から供給された感熱式シートを巻き取るシート巻取部とを収容するシート収容装置と、シート供給部から供給された感熱式シートに孔版部分を形成するサーマルヘッドを含む印刷本体装置とを備える印刷機に関する。詳細には、本発明は、シート収容装置が印刷本体装置に対して着脱可能に構成され、印刷本体装置から離脱されたシート収容装置を使用して所望の箇所に印刷を行うことができる印刷機に関する。
【背景技術】
【０００２】
従来、感熱式シートに孔版部分を形成する印刷機として、種々の構成の印刷機が提案されている。たとえば、特許文献１に記載の印刷機において、シート供給部が印刷機の一方の端部に配置され、シート巻取部が印刷機の他方の端部に配置される。駆動部が、シート巻取部に設けられ、シート供給部から必要な長さの感熱式シートを引き出すために間歇的に作動される。サーマルヘッドが、シート供給部から引き出された感熱式シートに孔版部分を形成する。紙などの被印刷媒体は、印刷機の載置台に位置決められる。スキージにより孔版部分に展延されたインクが被印刷媒体に転写されることにより、印刷が行われる。
【０００３】
特許文献１に記載の印刷機においては、シート供給部およびシート巻取部が、印刷機の所定の位置に固定的に配置されることから、被印刷媒体は、印刷機の載置台に必ず位置決めする必要がある。すなわち、被印刷媒体は、印刷機の載置台に載置できる大きさ、および形状の物体に限定される。このため、印刷機の載置台に載置できない物体、たとえば、部屋の壁などの所望の箇所に印刷を行うことは不可能であった。
【０００４】
特許文献１に記載の印刷機の問題を解決するために、印刷本体装置に対してシート収容装置が着脱可能な構成を有する印刷機が種々提案されるようになった。たとえば、特許文献２に記載のスタンプ装置は、スタンプ部と、原稿作成部とを備える。スタンプ部は、原稿作成部に対して着脱可能に構成され、感熱性孔版印刷用原紙を供給する供給スプールと、巻取りスプールとを収容する。スタンプ部が装着される凹所が、原稿作成部に形成される。原紙を熱穿孔するためのサーマルヘッドが、凹所に臨むように配置される。サーマルヘッドは、マイクロコンピュータからの印字データに従って、ヘッド駆動回路により駆動される。サーマルヘッドの駆動により原紙が熱穿孔された後に、使用者は、スタンプ部を原稿作成部から離脱させ、スタンプ部を使用して所望の箇所に印刷を行うことができる。
【先行技術文献】
【特許文献】
【０００５】
【特許文献１】実用新案登録第３１７０６０３号公報
【特許文献２】特開平４−２２６７７８号公報
【発明の概要】
【発明が解決しようとする課題】
【０００６】
しかし、特許文献２に記載のスタンプ装置においては、スタンプ部が原稿作成部から離脱された状態であっても、サーマルヘッドはマイクロコンピュータからの印字データに従って駆動される構成である。サーマルヘッドの加熱面は、スタンプ部により保持される原稿と確実に接触することができるように、原稿作成部の凹所の内壁部から露出して配置される。この露出した配置のために、使用者が手指でサーマルヘッドの加熱面に誤って接触した場合には、その手指を傷つけるおそれがある。また、用紙の切れ端などの可燃物が原稿作成部の凹所の内部に入り込んだ場合には、その可燃物がサーマルヘッドの加熱面により加熱されるおそれがある。
【０００７】
そこで、本発明は、上記の事情に鑑みてなされたものであり、ユーザが希望する任意の箇所に印刷することができるとともに、シート収容装置が印刷本体装置から離脱された状態におけるサーマルヘッドの加熱の危険性を解消することができる印刷機を提供することを目的とする。
【課題を解決するための手段】
【０００８】
請求項１に記載の第１の発明態様は、感熱式シートを収容するシート収容装置と、シート収容装置が着脱可能に構成される印刷本体装置と、シート収容装置に収容された感熱式シートに孔版部分を形成するために駆動され、印刷本体装置に配置されるサーマルヘッドと、シート収容装置が印刷本体装置に装着されたときにサーマルヘッドの駆動を許可し、シート収容装置が印刷本体装置から離脱されたときにサーマルヘッドの駆動を禁止する駆動制御部と、を備える。
【０００９】
本発明態様では、シート収容装置が収容する感熱式シートは、ロール状に巻かれた感熱式シートであってもよいし、所定の長さに切断された感熱式シートであってもよい。
【００１０】
本発明態様では、印刷本体装置は、感熱式シートに形成される孔版部分の画像を表す印刷データを装置内部において生成する構成であってもよいし、外部に接続されたパソコン、および携帯端末などの外部情報処理装置から印刷データを受信する構成であってもよい。
【００１１】
本発明態様では、駆動制御部が実行するサーマルヘッドの駆動を禁止する動作として、サーマルヘッドへの電力供給を禁止する動作であってもよいし、印刷データに従ってサーマルヘッドの各発熱素子を制御する制御信号の供給を禁止する動作であってもよい。
【００１２】
本発明態様では、シート収容装置が印刷本体装置から離脱されたときとは、シート収容装置が印刷本体装置から実際に離間したときと、シート収容装置が印刷本体装置に装着された状態を保持する保持手段の保持動作が解除され、シート収容装置が印刷本体装置から離間することが可能になったときとを含む意味である。
【００１３】
請求項２に記載の具体的態様では、駆動制御部は、印刷本体装置に対するシート収容装置の装着状態および離脱状態を検出するための検出部と、検出部がシート収容装置の装着状態を検出したときに、サーマルヘッドへの電力供給を許可し、検出部がシート収容装置の離脱状態を検出したときに、サーマルヘッドへの電力供給を禁止する回路手段と、を含む。
【００１４】
本具体的態様では、検出部として、種々の構成の検出部が考えられる。たとえば、検出部は、印刷本体装置に対するシート収容装置の相対的位置を検出することにより、シート収容装置の装着状態および離脱状態を検出する構成であってもよい。また、検出部は、シート収容装置の移動に応じて変位する変位部材の位置を検出することにより、シート収容装置の装着状態および離脱状態を検出する構成であってもよい。さらに、検出部は、シート収容装置が印刷本体装置に装着された状態を保持する保持手段、または保持手段に連動する連動部材の位置を検出することにより、シート収容装置の装着状態および離脱状態を検出する構成であってもよい。
【００１５】
本具体的態様では、シート収容装置の離脱状態とは、シート収容装置が印刷本体装置から離脱されたときに、シート収容装置、変位部材、保持手段、または連動部材が位置する状態を意味する。
【００１６】
本具体的態様では、回路手段は、サーマルヘッドへの電力供給の許可と禁止とを実行する電気的回路であれば、いかなる構成であってもよい。たとえば、回路手段は、検出部の検出結果に従って制御される制御素子を含む構成であってもよいし、検出部自体がスイッチ手段である場合には、検出部と電力供給源とサーマルヘッドとを接続する回路であってもよい。
【００１７】
請求項３に記載の具体的態様では、検出部は、スイッチ手段と、シート収容装置が印刷本体装置に装着されたときに、シート収容装置の一部分、またはシート収容装置に取り付けられた部材と係合可能に配置され、スイッチ手段を作動させるスイッチ作動部材と、を含み、回路手段は、スイッチ手段の作動に従って、サーマルヘッドへの電力供給の許可、または、電力供給の禁止を行う。
【００１８】
本具体的態様では、スイッチ手段は、リミットスイッチなどの可動接点を有する接触型のスイッチ手段であってもよいし、光学センサなどの非接触型のスイッチ手段であってもよい。また、スイッチ作動部材は、スイッチ手段が接触型のスイッチ手段である場合に、可動接点を作動させる部材であってもよいし、スイッチ手段が非接触型のスイッチ手段である場合に、光学センサなどにより検出される被検出部材であってもよい。
【００１９】
請求項４に記載の具体的態様では、シート収容装置は、帯状の感熱式シートが巻かれ、感熱式シートを供給するために回転可能なシート供給部材と、シート供給部材から供給された感熱式シートを巻き取るシート巻取部材と、シート供給部材から供給された感熱式シートを一定の姿勢に支持するシート支持部材と、シート供給部材からシート支持部材に向かって感熱式シートを移送するために、印刷本体装置から動力が伝達されるシート移送部材と、を含む。
【００２０】
本具体的態様では、シート巻取部材は、手動操作部材に連結され、その手動操作部材の手動操作により感熱式シートを巻き取る構成であってもよいし、発条などの弾力を蓄える弾性部材に連結され、蓄えられた弾力により感熱式シートを巻き取る構成であってもよい。
【００２１】
請求項５に記載の具体的態様では、シート収容装置は、シート供給部材を係止する係止機構を含み、その具体的態様は、シート収容装置が印刷本体装置から離脱されたときに、シート供給部材が係止され、シート収容装置が印刷本体装置に装着されたときに、シート供給部材の係止が解除されるように、係止機構を作動させる作動機構を備える。
【００２２】
本具体的態様では、係止機構は、感熱式シートを供給するためのシート供給部材の回転を制限する構成であれば、いかなる構成であってもよい。たとえば、係止機構は、凹部と凸部とが係合する構成であってもよいし、摩擦接触によりシート供給部材の回転を制限する構成であってもよい。
【００２３】
請求項６に記載の具体的態様では、係止機構は、シート供給部材に固定され、外周面に沿って多数の係止溝が形成された回転体と、回転体の係止溝と係合可能な係止爪を有する係止部材と、係止爪が回転体の係止溝と係合するように係止部材を弾性力により付勢する付勢部材と、を含み、作動機構は、係止部材に連結された第１作動部材と、シート収容装置が印刷本体装置に装着されたときに第１作動部材と係合可能に印刷本体装置に配置された第２作動部材と、を含み、第２作動部材は、第１作動部材と係合したときに、係止爪を回転体の係止溝から離脱させる。
【００２４】
本具体的態様では、第２作動部材は、印刷本体装置に固定された部材であってもよいし、印刷本体装置に移動可能に取り付けられる部材であってもよい。
【００２５】
請求項７に記載の具体的態様では、印刷本体装置は、シート移送部材と協働して感熱式シートを移送するために回転可能な移送ローラと、シート移送部材にサーマルヘッドおよび移送ローラをそれぞれ接触させるための作動位置と、シート移送部材からサーマルヘッドおよび移送ローラをそれぞれ離間させるための離間位置との間で移動可能に、サーマルヘッドおよび移送ローラをそれぞれ支持する支持機構と、を含む。
【００２６】
本具体的態様では、移送ローラは、シート移送部材による感熱式シートの移送動作に従動して回転する構成であってよいし、印刷本体装置に備えられたモータから動力を受けて回転する構成であってよい。
【００２７】
請求項８に記載の具体的態様では、印刷本体装置は、作動位置および離間位置の間でサーマルヘッドおよび移送ローラの支持位置を切り換えるために操作可能な操作部材と、操作部材と支持機構とを作動的に連結する連結機構と、を含む。
【００２８】
請求項９に記載の具体的態様では、シート収容装置は、被覆シートが巻かれた被覆シート供給部材を含み、被覆シート供給部材は、シート支持部材を通過した後の感熱式シートであって、シート巻取部材に巻き取られる前の感熱式シートを覆うために被覆シートを供給する。
【００２９】
本具体的態様では、孔版部分が形成された感熱式シートの両面のうち、インクが塗布される一方の面、および、被印刷媒体に接触する他方の面のいずれの面を被覆シートが被覆する構成であってもよい。被覆シートは、インクが塗布される一方の面を被覆する構成の方が好ましい。
【発明の効果】
【００３０】
請求項１に記載の発明態様では、シート収容装置が印刷本体装置に対して着脱可能に構成される。駆動制御部は、シート収容装置が印刷本体装置に装着されたときにサーマルヘッドの駆動を許可し、シート収容装置が印刷本体装置から離脱されたときにサーマルヘッドの駆動を禁止する。この結果、ユーザが希望する任意の箇所にシート収容装置を配置することにより、その任意の箇所に印刷することができる。また、シート収容装置が印刷本体装置から離脱された状態におけるサーマルヘッドの加熱の危険性を解消することができる。
【００３１】
請求項２に記載の具体的態様では、検出部は、印刷本体装置に対するシート収容装置の装着状態および離脱状態を検出する。回路手段は、検出部がシート収容装置の装着状態を検出したときに、サーマルヘッドへの電力供給を許可し、検出部がシート収容装置の離脱状態を検出したときに、サーマルヘッドへの電力供給を禁止する。この結果、シート収容装置が印刷本体装置から離脱された状態におけるサーマルヘッドの加熱の危険性を確実に解消することができる。
【００３２】
請求項３に記載の具体的態様では、スイッチ作動部材は、シート収容装置が印刷本体装置に装着されたときに、シート収容装置の一部分、またはシート収容装置に取り付けられた部材と係合可能に配置され、スイッチ手段を作動させる。回路手段は、スイッチ手段の作動に従って、サーマルヘッドへの電力供給の許可、または、電力供給の禁止を行う。この結果、スイッチ作動部材がスイッチ手段を作動させることにより、シート収容装置が印刷本体装置に装着されたことを確実に検出することができる。
【００３３】
請求項４に記載の具体的態様では、シート供給部材は、帯状の感熱式シートを供給するために回転可能である。シート巻取部材は、シート供給部材から供給された感熱式シートを巻き取る。シート支持部材は、シート供給部材から供給された感熱式シートを一定の姿勢に支持する。シート移送部材は、シート供給部材からシート支持部材に向かって感熱式シートを移送するために、印刷本体装置から動力の伝達を受ける。この結果、シート移送部材によりシート供給部材から感熱式シートを連続して供給することができ、その感熱式シートに異なる画像の孔版部分を容易に形成することが可能になる。
【００３４】
請求項５に記載の具体的態様では、作動機構は、シート収容装置が印刷本体装置から離脱されたときに、シート供給部材が係止され、シート収容装置が印刷本体装置に装着されたときに、シート供給部材の係止が解除されるように、係止機構を作動させる。この結果、シート収容装置が印刷本体装置から離脱されたときに、シート供給部材から感熱式シートが不用意に供給されることを防ぎ、シート収容装置が印刷本体装置に装着されたときに、シート供給部材から感熱式シートが円滑に供給されることを可能にする。
【００３５】
請求項６に記載の具体的態様では、多数の係止溝が、シート供給部材に固定された回転体の外周面に沿って形成される。係止部材は、回転体の係止溝と係合可能な係止爪を有する。付勢部材は、係止爪が回転体の係止溝と係合するように係止部材を弾性力により付勢する。第１作動部材は、係止部材に連結される。第２作動部材は、シート収容装置が印刷本体装置に装着されたときに第１作動部材と係合可能に印刷本体装置に配置される。第２作動部材は、第１作動部材と係合したときに、係止爪を回転体の係止溝から離脱させる。この結果、シート収容装置が印刷本体装置から離脱されたときに、付勢部材の弾性力により回転体の係止溝と係止爪とを確実に係合させることができる。また、シート収容装置が印刷本体装置に装着されたときに、第１および第２作動部材の係合により、係止爪を回転体の係止溝から確実に離脱させることができる。
【００３６】
請求項７に記載の具体的態様では、移送ローラは、シート移送部材と協働して感熱式シートを移送するために回転可能である。支持機構は、シート移送部材にサーマルヘッドおよび移送ローラをそれぞれ接触させるための作動位置と、シート移送部材からサーマルヘッドおよび移送ローラをそれぞれ離間させるための離間位置との間で移動可能に、サーマルヘッドおよび移送ローラをそれぞれ支持する。この結果、サーマルヘッドおよび移送ローラの位置を作動位置から離間位置に移動させることにより、シート収容装置を印刷本体装置から容易に離脱させることができる。
【００３７】
請求項８に記載の具体的態様では、操作部材は、作動位置および離間位置の間でサーマルヘッドおよび移送ローラの支持位置を切り換えるために操作可能である。連結機構は、操作部材と支持機構とを作動的に連結する。この結果、ユーザが操作部材を操作することにより、シート移送部材に対するサーマルヘッドおよび移送ローラの位置を作動位置および離間位置のいずれかの位置に容易に移動させることができる。
【００３８】
請求項９に記載の具体的態様では、被覆シートが巻かれた被覆シート供給部材は、シート支持部材を通過した後の感熱式シートであって、シート巻取部材に巻き取られる前の感熱式シートを覆うために被覆シートを供給する。この結果、インクが孔版部分に塗布された感熱式シートがシート巻取部材に巻き取られたときに、感熱式シートからインクが滲み出て他の部材に付着することを低減することができる。
【図面の簡単な説明】
【００３９】
【図１】本発明の実施形態に係るスクリーン印刷機１の全体構成を示す斜視図である。
【図２】上部筐体２２が取り外された状態において、スクリーン印刷機１を前後方向の中央部分で切断した断面図である。
【図３】キャリー装置３がステーション装置２から離脱された状態であって、上部筐体２２が取り外されたステーション装置２を示す斜視図である。
【図４】基台筐体２０、および上部筐体２２が取り外された状態において、両筐体の内部に配置される各種の機構を示す斜視図である。
【図５】カバー体６２が取り外された状態において、ヘッド支持機構４２、およびローラ支持機構４６を拡大して示す斜視図である。
【図６】連動機構５４を拡大して示す拡大斜視図である。
【図７】連動機構５４を拡大して前方から見た正面図である。
【図８】ステーション装置２から離脱された状態におけるキャリー装置３であって、シート供給筐体２０２およびシート巻取筐体２０４が取り外された状態におけるキャリー装置３を上方から見た上面図である。
【図９】図８に示すＡ−Ａ線に従って切断して右方補助枠部２２８を前方から見た拡大断面図である。
【図１０】図９において、揺動作動体２５４が取り外された状態において、右方補助枠部２２８を前方から見た拡大断面図である。
【図１１】スクリーン印刷機１の電気的構成を示すブロック図である。
【図１２】キャリー装置３がステーション装置２に装着された状態において、上部筐体２２、およびシート供給筐体２０２が取り外されたスクリーン印刷機１を前方から見た正面図である。
【図１３】所望画像「ＡＢＣ」の孔版部分が感熱式シートＳＴに形成された状態にあるスクリーン印刷機１の全体構成を示す斜視図である。
【図１４】リリース位置において、キャリー装置３が離脱されたステーション装置２の各部材の位置関係を示す正面図である。
【図１５】所望画像「ＡＢＣ」の孔版部分が形成された感熱式シートＳＴが支持されたキャリー装置３を示す斜視図である。
【発明を実施するための形態】
【００４０】
＜実施形態＞
以下に、本発明の一実施形態に係るスクリーン印刷機について、図面を参照して説明する。図１は、スクリーン印刷機１の全体構成を示す。なお、図１に矢印で示す互いに直交する３つの方向を、上下方向、左右方向、および前後方向として、図１以降の他の図面でも同様に、各方向を示す。
【００４１】
［スクリーン印刷機１の構成］
図１において、スクリーン印刷機１は、ステーション装置２と、キャリー装置３と、を備える。キャリー装置３は、ステーション装置２に対して着脱可能に構成される。キャリー装置３は、ロール状に巻かれた感熱式シートＳＴを収容する。キャリー装置３がステーション装置２に装着された状態において、ステーション装置２は、所望画像の孔版部分を感熱式シートＳＴに形成する。使用者は、用紙などの被印刷媒体と孔版部分とを位置合わせした状態において、孔版部分にインクを塗布して展延することにより、孔版部分の画像を被印刷媒体に印刷することができる。
【００４２】
≪ステーション装置２の詳細な構成≫
図１は、キャリー装置３がステーション装置２に装着された状態を示す。図１において、ステーション装置２は、基台筐体２０と、上部筐体２２と、開閉蓋２３と、を備える。開閉蓋２３は、後述の図１３に示すように、上部筐体２２に設けられた一対の蝶番２４、２４により開閉可能に取り付けられる。キャリー装置３がステーション装置２から離脱されたときに、上部筐体２２の左方に向けて開放する開口部分を覆うために、開閉蓋２３が設けられる。操作表示部２６が、上部筐体２２の後方に設けられる。操作表示部２６は、印刷ボタン２８と、各種の表示ランプＬＧと、を備える。
【００４３】
載置部３０が、基台筐体２０の前面に固定される。スキージ３１が、載置部３０に載置される。スキージ３１は、孔版部分にインクを展延するための公知の構成を有し、ウレタンゴムなどの材料により構成される。
【００４４】
図２は、上部筐体２２が取り外された状態において、スクリーン印刷機１を前後方向の中央部分で切断した断面を示す。図２において、制御回路基板３２、および電源回路基板３４が、基台筐体２０の内部に配置される。電源スイッチ３６が、電源回路基板３４に近接して配置される。用紙などの被印刷媒体が載置される載置板３８が、基台筐体２０の上板２０Ａに配置される。キャリー装置３がステーション装置２に装着された状態において、所定の間隙ＧＰが、基台筐体２０の載置板３８と、キャリー装置３により水平に支持された感熱式シートＳＴとの間に形成されるように、キャリー装置３の下方に４つの脚部３Ａが固定される。
【００４５】
図３は、キャリー装置３がステーション装置２から離脱された状態であって、上部筐体２２が取り外されたステーション装置２を示す。図３において、ステーション装置２は、サーマルヘッドユニット４０を支持するヘッド支持機構４２と、移送従動ローラ４４を支持するローラ支持機構４６と、キャリー装置３がステーション装置２に装着された状態を保持する保持機構４８と、操作部５０と、動力伝達機構５２と、連動機構５４と、を備える。
【００４６】
（ヘッド支持機構４２の詳細な構成）
図４は、基台筐体２０、および上部筐体２２が取り外された状態において、両筐体の内部に配置される各種の機構を示す。図４において、フレーム５６が、基台筐体２０、および上部筐体２２にそれぞれ固定される。ヘッド支持機構４２は、ヘッド揺動軸５８と、ヘッド支持体６０と、を主に備える。ヘッド揺動軸５８が、フレーム５６の上方に水平に支持される。ヘッド支持体６０が、ヘッド揺動軸５８に揺動可能に支持される。サーマルヘッドユニット４０が、ヘッド支持体６０の下方に固定される。サーマルヘッドユニット４０は、多数の発熱素子を有するサーマルヘッドＴＭＨと、ヘッド駆動回路ＤＴＭとを含み、ユニット化された構成である。カバー体６２が、ヘッド支持体６０の面であって、サーマルヘッドユニット４０が固定される面に固定される。カバー体６２は、サーマルヘッドユニット４０に接続される回路、および配線部分を覆うために設けられる。
【００４７】
図５は、カバー体６２が取り外された状態において、ヘッド支持機構４２、およびローラ支持機構４６を拡大して示す。図５において、ヘッド連動軸６４が、ヘッド揺動軸５８の配置位置より下方において、ヘッド支持体６０に水平に固定される。一対のコイルバネ６６Ａ、６６Ｂが、ヘッド連動軸６４の前後の両端６４Ａ、６４Ｂと、フレーム５６上の２つの所定箇所との間にそれぞれ張設される。ヘッド支持体６０は、ヘッド揺動軸５８を中心にして、図５に示す矢印Ｄ１の方向に、両コイルバネ６６Ａ、６６Ｂにより常時付勢される。一対の押圧ロール６８Ａ、６８Ｂが、ヘッド支持体６０の下方側部において、前後方向に突出した状態で回転可能にそれぞれ取り付けられる。押圧ロール６８Ｂは、図４に示される。
【００４８】
（ローラ支持機構４６の詳細な構成）
図５において、ローラ支持機構４６は、ローラ揺動軸７０と、ローラ支持体７２と、を主に備える。ローラ揺動軸７０が、フレーム５６の中間部分に水平に支持される。ローラ支持体７２が、ローラ揺動軸７０に揺動可能に支持される。移送従動ローラ４４が、ローラ支持体７２の左方端に水平な状態で回転可能に取り付けられる。両押圧ロール６８Ａ、６８Ｂは、ローラ支持体７２の前後の両側板部７２Ａ、７２Ｂに上方から接触可能である。一対のコイルバネ７４Ａ、７４Ｂが、ローラ支持体７２の前後の両端と、フレーム５６上の２つの所定箇所との間にそれぞれ張設される。ローラ支持体７２は、ローラ揺動軸７０を中心にして、図５に示す矢印Ｄ２の方向に、両コイルバネ７４Ａ、７４Ｂにより常時付勢される。
【００４９】
ヘッド支持体６０が、両コイルバネ６６Ａ、６６Ｂの弾性付勢力に抗して、図５に示す矢印Ｄ１の方向と反対方向に回動するときに、両押圧ロール６８Ａ、６８Ｂは、ローラ支持体７２の前後の両側板部７２Ａ、７２Ｂを上方から押圧する。この押圧により、ローラ支持体７２は、両コイルバネ７４Ａ、７４Ｂの弾性付勢力に抗して、図５に示す矢印Ｄ２の方向と反対方向に回動する。
【００５０】
（保持機構４８の詳細な構成）
図４において、保持機構４８は、保持枠７６と、一対のコイルバネ７８Ａ、７８Ｂと、を主に備える。保持枠７６は、一対の保持側板部７６Ａ、７６Ｂと、両保持側板部７６Ａ、７６Ｂの上端を連結する連結部７６Ｃと、を備える。両保持側板部７６Ａ、７６Ｂは、その下方部分において、フレーム５６の前後の側板部に揺動可能にそれぞれ取り付けられる。一対の保持鉤部８０Ａ、８０Ｂが、両保持側板部７６Ａ、７６Ｂの中間部分に形成される。両コイルバネ７８Ａ、７８Ｂが、両保持側板部７６Ａ、７６Ｂの下端と、フレーム５６上の２つの所定箇所との間にそれぞれ張設される。保持枠７６は、図４に示す矢印Ｄ３の方向に、両コイルバネ７８Ａ、７８Ｂにより常時付勢される。
【００５１】
一対の円形受け部８１Ａ、８１Ｂが、フレーム５６の前後の側板部の中間部分に形成される。両円形受け部８１Ａ、８１Ｂは、上方に向かって開放する。両保持鉤部８０Ａ、８０Ｂが、両円形受け部８１Ａ、８１Ｂが開放する開口部分の一部を塞ぐように、保持枠７６は、両コイルバネ７８Ａ、７８Ｂにより常時付勢される。
【００５２】
操作軸部８２が、保持側板部７６Ｂの上部において、前方に突出した状態で固定される。使用者は、操作軸部８２の移動操作により、両コイルバネ７８Ａ、７８Ｂの弾性付勢力に抗して、図４に示す矢印Ｄ３の方向と反対方向に保持枠７６を回動させることができる。
【００５３】
（動力伝達機構５２の詳細な構成）
図４において、動力伝達機構５２は、シート送りモータ８４と、駆動ギア８６を含む複数のギアと、を主に備える。補助フレーム８８が、フレーム５６の後方の側板部に固定される。シート送りモータ８４は、補助フレーム８８の下面に固定される。出力ギア９０が、シート送りモータ８４の回転軸に固定され、図４に示すように補助フレーム８８の貫通孔から上方に突出する。伝達軸９２が、補助フレーム８８に水平な状態で回転可能に配置される。伝達ギア９４が、伝達軸９２に固定され、出力ギア９０と噛み合う。駆動ギア８６が、伝達軸９２に固定される。支持棒９５Ａが、補助フレーム８８の前方側壁から後方に突出した状態で補助フレーム８８に固定される。支持棒９５Ｂが、支持棒９５Ａの延長軸線上に位置するように、フレーム５６の前方側壁から前方に突出した状態でフレーム５６に固定される。
【００５４】
（連動機構５４の詳細な構成）
連動機構５４は、ヘッド支持機構４２およびローラ支持機構４６と、操作部５０との間における連動動作と、キャリー装置３がステーション装置２に装着された状態において、操作部５０と、リミットスイッチ９６との間における連動動作と、を実行する機構である。図６は、連動機構５４を拡大して示す斜視図であり、図７は、連動機構５４を拡大して前方から見た正面図である。リミットスイッチ９６は、図６に示すように、フレーム５６の前方側板部に取り付けられる。図６において、連動機構５４は、操作作動体９８と、作動ロール１００と、連動作動体１０２と、を主に備える。操作作動体９８は、図７に示すように、操作揺動軸１０４により、フレーム５６の前方側板部に揺動可能に取り付けられる。操作部５０が、操作作動体９８の下方に固定される。操作作動体９８は、第１作動部１０６と、第２作動部１０８と、を備える。第１作動部１０６は、操作揺動軸１０４の配置位置に近接して配置され、直線状の第１設定面１０６Ａと、曲線状の第２設定面１０６Ｂと、を備える。第２作動部１０８は、操作揺動軸１０４の配置位置から離れて配置され、平坦な押圧面１０８Ａを備える。作動ロール１００は、フレーム５６の前方側板部に形成された貫通孔を通過して前方に突出するヘッド連動軸６４の前方端６４Ｂに回動可能に取り付けられる。
【００５５】
バネ取付ねじ１１０が、操作揺動軸１０４の配置位置と、操作部５０の配置位置との間において、操作作動体９８に取り付けられる。連動作動体１０２が、揺動取付ねじ１１２により、フレーム５６の前方側板部に揺動可能に取り付けられる。揺動取付ねじ１１２の取付位置は、図７に示すように、操作揺動軸１０４の配置位置より上方に位置する。コイルバネ１１４が、図６に示すように、バネ取付ねじ１１０と揺動取付ねじ１１２との間に張設される。図７において、コイルバネ１１４は省略されている。
【００５６】
連動作動体１０２は、スイッチ作動端部１１６と、当接端部１１８と、を備える。スイッチ作動端部１１６は、連動作動体１０２の右方端部であり、リミットスイッチ９６の可動部に接触可能に配置される。当接端部１１８は、連動作動体１０２の左方端部である。
【００５７】
バネ取付ねじ１２０が、スイッチ作動端部１１６に近接して、連動作動体１０２に取り付けられる。バネ取付ねじ１２２が、揺動取付ねじ１１２の取付位置より上方において、フレーム５６の前方側板部に取り付けられる。コイルバネ１２４が、両バネ取付ねじ１２０、１２２の間に張設される。連動作動体１０２は、揺動取付ねじ１１２を中心にして、図７に示す矢印Ｄ４の方向に、コイルバネ１２４により常時付勢される。
【００５８】
ストッパピン１２６が、リミットスイッチ９６の配置位置より上方において、フレーム５６の前方側板部に取り付けられる。ストッパピン１２６は、スイッチ作動端部１１６の上面と当接可能に配置され、矢印Ｄ４の方向における連動作動体１０２の揺動位置を規制する。保持ピン１２８が、当接端部１１８に近接して、連動作動体１０２の上面に取り付けられる。
【００５９】
操作部５０は、操作揺動軸１０４を中心にして時計回り方向に回動したホールド位置と、操作揺動軸１０４を中心にして反時計回り方向に回動したリリース位置との間で切り換え操作可能である。図７に示す操作部５０の位置は、ホールド位置である。ホールド位置において、バネ取付ねじ１１０と揺動取付ねじ１１２とを結ぶ延長線は、操作揺動軸１０４の配置位置より左方に存在する。ホールド位置において、コイルバネ１１４は、操作作動体９８が図７において時計回り方向に回動するように操作作動体９８を付勢し、操作作動体９８は、フレーム５６の前方側板部に設けられた停止部材に当接して停止する。ホールド位置において、作動ロール１００は、図７に示すように、第１作動部１０６の第１設定面１０６Ａに対向する位置にあり、ヘッド支持体６０は両コイルバネ６６Ａ、６６Ｂにより付勢されて図５に示す矢印Ｄ１の方向に回動するとともに、ローラ支持体７２は両コイルバネ７４Ａ、７４Ｂにより付勢されて図５に示す矢印Ｄ２の方向に回動する。
【００６０】
一方、リリース位置において、バネ取付ねじ１１０と揺動取付ねじ１１２とを結ぶ延長線は、操作揺動軸１０４の配置位置より右方に存在する。リリース位置において、コイルバネ１１４は、操作作動体９８が図７において反時計回り方向に回動するように操作作動体９８を付勢し、操作作動体９８は、フレーム５６の前方側板部に設けられた別の停止部材に当接して停止する。リリース位置において、作動ロール１００は、第１作動部１０６の第２設定面１０６Ｂに接触する位置にあり、ヘッド支持体６０は両コイルバネ６６Ａ、６６Ｂの弾性付勢力に抗して図５に示す矢印Ｄ１の方向と反対方向に回動するとともに、ローラ支持体７２は両コイルバネ７４Ａ、７４Ｂの弾性付勢力に抗して図５に示す矢印Ｄ２の方向と反対方向に回動する。
【００６１】
≪キャリー装置３の詳細な構成≫
図１において、キャリー装置３は、支持基枠２００と、シート供給筐体２０２と、シート巻取筐体２０４と、把持部２０６と、を備える。支持基枠２００は、支持枠部２０８を備え、両筐体２０２、２０４を連結する。支持枠部２０８は、左右方向に長い長方形の形状を有する。前方支持体２１０、および後方支持体２１２は、支持枠部２０８の前後に固定され、同じ構造を有する。両支持体２１０、２１２は、左右方向に水平に延びるシート案内溝をそれぞれ有する。感熱式シートＳＴは、両支持体２１０、２１２のシート案内溝に案内された状態で支持される。図２において、シート供給筐体２０２は、感熱式シートＳＴがロール状に巻かれた供給リール２１４を収容する。シート巻取筐体２０４は、両支持体２１０、２１２を通過した感熱式シートＳＴを巻き取る巻取リール２１６と、被覆シートＳＬがロール状に巻かれた被覆リール２１８と、を収容する。キャリー装置３がステーション装置２に装着されるときに、支持基枠２００の下端が、図４に示す支持棒９５Ａに載置されて支持され、シート供給筐体２０２の下端が、支持棒９５Ｂに載置されて支持される。
【００６２】
感熱式シートＳＴは、ポリエステル製紗体などのインク通過性支持体と、ポリエステルフィルムなどの合成樹脂フィルムとを貼り合せた公知の構成を有する。被覆シートＳＬは、ポリエステルフィルムなどの合成樹脂フィルムから構成される。
【００６３】
図２において、テンションローラ２２０と、移送駆動ローラ２２４とが、シート供給筐体２０２の内部に回転可能に支持される。供給リール２１４から供給された感熱式シートＳＴは、テンションローラ２２０を経由して移送駆動ローラ２２４の周囲に巻かれる。移送駆動ローラ２２４から移送される感熱式シートＳＴは、両支持体２１０、２１２のシート案内溝に沿って案内される。テンションローラ２２６が、シート巻取筐体２０４の内部に回転可能に支持される。
【００６４】
図２において、被覆リール２１８から供給される被覆シートＳＬは、支持枠部２０８の左方枠部２０８Ａの右側面に沿って案内され、両支持体２１０、２１２を通過した感熱式シートＳＴの上面に重ねられる。孔版部分が形成された感熱式シートＳＴが両支持体２１０、２１２のシート案内溝に沿って支持された状態において、インクが感熱式シートＳＴの上面に塗布される。この場合、孔版部分は感熱式シートＳＴの下面、すなわち合成樹脂フィルムが存在する面に形成される。この結果、被覆シートＳＬは、インクが塗布された感熱式シートＳＴの上面を被覆する。被覆シートＳＬにより被覆された感熱式シートＳＴが、テンションローラ２２６を経由して巻取リール２１６に巻き取られる。
【００６５】
図８は、ステーション装置２から離脱された状態におけるキャリー装置３であって、シート供給筐体２０２およびシート巻取筐体２０４が取り外された状態におけるキャリー装置３を上方から見た上面図である。図８において、右方補助枠部２２８が、支持枠部２０８の右方側端部に固定され、左方補助枠部２３０が、支持枠部２０８の左方側端部に固定される。供給回転軸２３２が、前後方向に延びて回転可能に右方補助枠部２２８に支持される。図２に示すように、供給リール２１４は、供給回転軸２３２に着脱可能に取り付けられる。供給リール２１４は、所定の摩擦抵抗をもって供給回転軸２３２に取り付けられることから、供給回転軸２３２の回転に伴い回転する。移送回転軸２３４が、供給回転軸２３２と平行な状態で、前後方向に延びて回転可能に右方補助枠部２２８に支持される。移送駆動ローラ２２４は、移送回転軸２３４に固定される。図８において、移送回転軸２３４は、右方補助枠部２２８から後方に突出する後方端部２３４Ａと、右方補助枠部２２８から前方に突出する前方端部２３４Ｂと、を備える。従動ギア２３６が、移送回転軸２３４の後方端部２３４Ａに固定され、キャリー装置３がステーション装置２に装着されたときに駆動ギア８６と噛み合うように構成される。また、キャリー装置３がステーション装置２に装着されたときに、移送回転軸２３４の後方端部２３４Ａ、および前方端部２３４Ｂは、図４に示す円形受け部８１Ａ、８１Ｂにそれぞれ嵌合して支持される。
【００６６】
巻取回転軸２３８が、前後方向に延びて回転可能に左方補助枠部２３０に支持される。図２に示すように、巻取リール２１６は、巻取回転軸２３８に着脱可能に取り付けられる。巻取リール２１６は、所定の摩擦抵抗をもって巻取回転軸２３８に取り付けられることから、巻取回転軸２３８の回転に伴い回転する。被覆回転軸２４０が、巻取回転軸２３８と平行な状態で、前後方向に延びて回転可能に左方補助枠部２３０に支持される。摘み２４２が、巻取回転軸２３８の前方端部に固定される。図８において、ワンウェイクラッチ２４４が、左方補助枠部２３０に固定され、巻取回転軸２３８の後方端部と着脱可能に連結される。使用者が感熱式シートＳＴを巻き取るために摘み２４４を回転操作したとき、ワンウェイクラッチ２４４は、図２において巻取回転軸２３８が時計回り方向に回転することを許容する。しかし、ワンウェイクラッチ２４４は、図２において巻取回転軸２３８が反時計回り方向に回転することを防止する。
【００６７】
図９は、図８に示すＡ−Ａ線に従って切断して右方補助枠部２２８を前方から見た拡大断面図である。図８、および図９において、円形の爪車２４６、および保持円板２４８が、供給回転軸２３２の前方端部に固定される。多数の溝が、爪車２４６の外周面全周にわたって形成される。保持円板２４８は、爪車２４６より前方に配置され、爪車２４６より小さな直径を有する。保持円板２４８の外周面は滑らかな面に形成される。
【００６８】
図８において、ローラ支持軸２５０は、テンションローラ２２０を回転可能に支持するために右方補助枠部２２８に支持される。爪部材２５２は、ローラ支持軸２５０に揺動可能に支持される。揺動作動体２５４が、爪部材２５２の前方に配置される。
【００６９】
図１０は、図９において、揺動作動体２５４が取り外された状態において、右方補助枠部２２８を前方から見た拡大断面図である。図１０において、爪部材２５２は、自由端に係止爪２５２Ａを有する。支持ねじ軸２５６が、前方に突出した状態において爪部材２５２に固定される。揺動作動体２５４が、支持ねじ軸２５６を中心に揺動可能に爪部材２５２に取り付けられる。バネ取付ねじ２５８が、前方に突出した状態において右方補助枠部２２８に取り付けられる。コイルバネ２６０が、支持ねじ軸２５６と、バネ取付ねじ２５８との間に張設され、爪部材２５２がローラ支持軸２５０を中心にして反時計回り方向に回動するように爪部材２５２を常時付勢する。
【００７０】
図９において、切欠部２６２が、揺動作動体２５４の後方側壁に形成される。ローラ支持軸２５０の前方端部は、切欠部２６２の内部に進入し、切欠部２６２の内周面に係合可能に配置される。揺動作動体２５４が支持ねじ軸２５６を中心にして時計回り方向に最も回動したときの回動位置は、切欠部２６２の内周面がローラ支持軸２５０の前方端部に係合することにより、図９に二点鎖線で示す回動位置に制限される。
【００７１】
［スクリーン印刷機１の電気的構成］
スクリーン印刷機１の電気的構成について、図１１を参照して説明する。図１１は、スクリーン印刷機１の電気的構成を示すブロック図である。図１１において、制御回路３００は、ステーション装置２の全体動作を制御し、マイクロコンピュータにより構成される。入力インターフェース３０２が、制御回路３００に接続される。入力インターフェース３０２は、印刷ボタン２８の押圧操作により印刷指令を制御回路３００に送信する。また、入力インターフェース３０２は、パーソナルコンピュータなどの外部情報処理装置３０４からの印刷データ、および各種の指令などの情報を受信して、その情報を制御回路３００に送信する。制御回路３００は、入力インターフェース３０２からの情報に従って各種の制御信号を生成する。
【００７２】
ヘッド駆動回路ＤＴＭ、モータ駆動回路ＤＦＭ、および表示駆動回路ＤＤＬが、制御回路３００にそれぞれ接続される。ヘッド駆動回路ＤＴＭは、印刷データに基いて制御回路３００が生成したヘッド制御信号に従って、サーマルヘッドＴＭＨの各発熱素子の駆動を制御する。モータ駆動回路ＤＦＭは、印刷ボタン２８の操作による印刷指令に基いて制御回路３００が生成した印刷制御信号に従って、シート送りモータ８４の駆動を制御する。表示駆動回路ＤＤＬは、印刷動作の異常などが発生したときに制御回路３００が生成した表示制御信号に従って、表示ランプＬＧの駆動を制御する。
【００７３】
ＡＣアダプタ３０６は、商用交流電源と接続可能であり、電源スイッチ３６がオンに操作されると、交流電圧を所定の値の直流電圧に変換する公知の構成である。ＡＣアダプタ３０６は、制御回路３００を含む各回路に直流電圧を供給する。
【００７４】
電力制御用スイッチング素子としてトランジスタ３１０が設けられる。トランジスタ３１０のエミッタは、ＡＣアダプタ３０６の直流電圧出力端子に接続され、そのコレクタが、サーマルヘッドＴＭＨに接続される。トランジスタ３１０のエミッタとベースとの間に抵抗３１２が接続される。
【００７５】
制御回路３００は、サーマルヘッドＴＭＨへの電力供給を制御する電力制御信号の出力端子３１４を備える。リミットスイッチ９６は、出力端子３１４と、トランジスタ３１０のベースとの間に接続される。出力端子３１０から出力される電力制御信号のレベルが、低いレベルであるときには、サーマルヘッドＴＭＨへの電力供給を許可し、高いレベルであるときには、サーマルヘッドＴＭＨへの電力供給を禁止する。リミットスイッチ９６が開放状態、すなわちオフ状態であるときには、電力制御信号のレベルに関係なく、トランジスタ３１０がオフ状態となり、サーマルヘッドＴＭＨへの電力供給が禁止される。
【００７６】
［実施形態の動作および作用］
本実施形態の動作および作用について、図１２乃至図１５を主に参照して説明する。本実施形態の動作として、キャリー装置３がステーション装置２に装着された状態における動作と、キャリー装置３がステーション装置２から離脱された状態における動作と、に分けて説明する。
【００７７】
≪キャリー装置３がステーション装置２に装着された装着状態における動作≫
図１２は、キャリー装置３がステーション装置２に装着された状態において、上部筐体２２、およびシート供給筐体２０２が取り外されたスクリーン印刷機１を前方から見た正面図である。図１２において、操作部５０は、ホールド位置に位置する。ホールド位置において、第２作動部１０８の押圧面１０８Ａは、キャリー装置３の揺動作動体２５４の右方端部を下方から押し上げる。この押し上げにより、揺動作動体２５４は、揺動作動体２５４と保持円板２４８の外周面との接触点を中心にして、コイルバネ２６０の弾性付勢力に抗して反時計回り方向に回動する。この回動により、爪部材２５２が図１０において時計回り方向に回動し、係止爪２５２Ａが、爪車２４６の溝との係止状態から解放される。
【００７８】
第２作動部１０８の押圧面１０８Ａによる押し上げにより、揺動作動体２５４の右方端部は、連動作動体１０２の左方端部を下方から押し上げ、図１２において連動作動体１０２を時計回り方向にコイルバネ１２４の弾性付勢力に抗して回動させる。この回動により、連動作動部１０２の右方端部は、リミットスイッチ９６の可動部と接触し、リミットスイッチ９６を閉成状態、すなわち接続状態に切り換える。この切り換えにより、リミットスイッチ９６は、図１１において、制御回路３００の出力端子３１４をトランジスタ３１０のベースに接続する。
【００７９】
操作部５０のホールド位置において、ヘッド支持体６０は、両コイルバネ６６Ａ、６６Ｂの弾性付勢力により回動され、図２に示すようにサーマルヘッドユニット４０のサーマルヘッドＴＭＨを移送駆動ローラ２２４に押し当てる。また、ローラ支持体７２は、両コイルバネ７４Ａ、７４Ｂの弾性付勢力により回動され、図２に示すように移送従動ローラ４４を移送駆動ローラ２２４に押し当てる。
【００８０】
保持枠７６は、両コイルバネ７８Ａ、７８Ｂにより常時付勢されることから、両保持鉤部８０Ａ、８０Ｂが両円形受け部８１Ａ、８１Ｂの開口部分の一部を塞ぐ。キャリー装置３がステーション装置２に装着されたときに、移送回転軸２３４の後方端部２３４Ａ、および前方端部２３４Ｂは、円形受け部８１Ａ、８１Ｂにそれぞれ嵌合して支持される。移送回転軸２３４が、円形受け部８１Ａ、８１Ｂから離脱しないように、両保持鉤部８０Ａ、８０Ｂにより保持される。
【００８１】
連動作動体１０２の保持ピン１２８が保持側板部７６Ｂの操作軸部８２と当接する位置に移動することから、使用者は、操作軸部８２を図１２において右方に移動させることができない。この結果、操作部５０がホールド位置に位置する限り、両保持鉤部８０Ａ、８０Ｂが両円形受け部８１Ａ、８１Ｂの開口部分の一部を塞ぐ保持状態は、保持ピン１２８と操作軸部８２との当接により保持される。
【００８２】
（孔版部分の形成動作）
使用者は、外部情報処理装置３０４において、被印刷媒体に印刷したい所望画像を表す印刷データを作成し、スクリーン印刷機１に送信する。制御回路３００は、入力インターフェース３０２を介して印刷データを受信し、内部メモリに一時記憶する。使用者は、感熱式シートＳＴに所望画像の孔版部分を形成するために、印刷ボタン２８を押圧操作すると、制御回路３００は、入力インターフェース３０２から印刷指令を受信する。制御回路３００は、印刷指令に従って、出力端子３１４から低いレベルの電力制御信号を出力する。リミットスイッチ９６は、接続状態に切り換えられていることから、トランジスタ３１０は、リミットスイッチ９６を介して低いレベルの電力制御信号をベースに受け取る。この低いレベルの電力制御信号により、トランジスタ３１０は、オフ状態からオン状態に変化し、ＡＣアダプタ３０６からの直流電圧をサーマルヘッドＴＭＨに供給する。制御回路３００は、印刷データに基いて生成したヘッド制御信号をヘッド駆動回路ＤＴＭに供給する。ヘッド制御信号に従って、ヘッド駆動回路ＤＴＭは、サーマルヘッドＴＭＨの各発熱素子の駆動を制御する。
【００８３】
ヘッド制御信号の生成と同時に、制御回路３００は、印刷指令に従って印刷制御信号を生成する。印刷制御信号に従って、モータ駆動回路ＤＦＭは、シート送りモータ８４が所定の回転速度で回転するように制御する。
【００８４】
シート送りモータ８４の回転により、駆動ギア８６が回転され、従動ギア２３６も回転される。従動ギア２３６の回転により、移送駆動ローラ２２４が回転され、移送従動ローラ４４も回転される。両ローラ２２４、４４の回転により、感熱式シートＳＴは、供給リール２１４から繰り出されて供給される。感熱式シートＳＴの合成樹脂フィルムは、サーマルヘッドＴＭＨに接触していることから、サーマルヘッドＴＭＨの駆動により加熱される。この加熱により、孔版部分が感熱式シートＳＴの合成樹脂フィルムに形成される。
【００８５】
本実施形態においては、孔版部分の形成が進行している途中で、使用者は、摘み２４２を回転操作して巻取リール２１６を回転させる。この回転操作により、両ローラ２２４、４４の下流において弛んだ状態で滞留する感熱シートＳＴに張力を付与することができる。
【００８６】
（キャリー装置３の装着状態における画像の印刷動作）
所望画像が、たとえば、アルファベット３文字の画像「ＡＢＣ」である場合に、所望画像「ＡＢＣ」の孔版部分が、図１３に示すように、感熱式シートＳＴに形成される。キャリー装置３の装着状態において、所望画像「ＡＢＣ」を用紙に形成するために、使用者は、上部筐体２２から突出する操作部５０をホールド位置からリリース位置に切り換える。
【００８７】
リリース位置において、第２作動部１０８の押圧面１０８Ａは、キャリー装置３の揺動作動体２５４の右方端部から離間する。この離間により、揺動作動体２５４は、揺動作動体２５４と保持円板２４８の外周面との接触点を中心にして、コイルバネ２６０の弾性付勢力により時計回り方向に回動する。この回動により、爪部材２５２が図１０において反時計回り方向に回動し、係止爪２５２Ａが、爪車２４６の溝と係合する。この係合により、供給リール２１４の回転が禁止され、供給リール２１４から感熱式シートＳＴが不用意に繰り出されることを防止することができる。
【００８８】
揺動作動体２５４の時計回り方向への回動により、連動作動体１０２は、コイルバネ１２４の弾性付勢力により反時計回り方向に回動される。この回動により、連動作動部１０２の右方端部は、リミットスイッチ９６の可動部から離間し、リミットスイッチ９６を閉成状態から開放状態、すなわち接続状態から遮断状態に切り換える。この切り換えにより、リミットスイッチ９６は、図１１において、制御回路３００の出力端子３１４をトランジスタ３１０のベースから切り離す。この切り離しにより、トランジスタ３１０のベースの電位は高い電位となり、トランジスタ３１０は、オン状態からオフ状態に変化してサーマルヘッドＴＭＨへの電力供給を停止する。この結果、リリース位置において、使用者が印刷ボタン２８を押圧操作したとしても、サーマルヘッドＴＭＨが加熱されることを防止することができる。
【００８９】
使用者が操作部５０をホールド位置からリリース位置に切り換えることにより、操作作動体９８が操作揺動軸１０４を中心にして図７において反時計回り方向に回動し、第１作動部１０６の第２設定面１０６Ｂが作動ロール１００の外周面に当接して作動ロール１００を図７において右方に移動させる。作動ロール１００の移動により、ヘッド支持体６０は、両コイルバネ６６Ａ、６６Ｂの弾性付勢力に抗して図５に示す矢印Ｄ１と反対方向に回動され、サーマルヘッドユニット４０のサーマルヘッドＴＭＨを移送駆動ローラ２２４から離間させる。また、ローラ支持体７２は、両コイルバネ７４Ａ、７４Ｂの弾性付勢力に抗して図５に示す矢印Ｄ２と反対方向に回動され、移送従動ローラ４４を移送駆動ローラ２２４から離間させる。
【００９０】
保持枠７６は、両コイルバネ７８Ａ、７８Ｂにより常時付勢されることから、使用者が操作部５０をホールド位置からリリース位置に切り換えた場合でも、移送回転軸２３４が、円形受け部８１Ａ、８１Ｂから離脱しないように、両保持鉤部８０Ａ、８０Ｂにより保持される。移送回転軸２３４が保持されることにより、使用者は、移送回転軸２３４を中心にしてキャリー装置３を上方に回動させて持ち上げることができる。キャリー装置３を持ち上げた状態において、使用者は、用紙を載置板３８の上に位置決めする。その後、使用者は、キャリー装置３を下降させて基台筐体２０の上板２０Ａに載置する。
【００９１】
使用者は、図１３に示す所望画像「ＡＢＣ」の孔版部分にインクを塗布し、スキージによりインクを展延する。このインクの展延により、所望画像「ＡＢＣ」が用紙に印刷される。リリース位置において、係止爪２５２Ａと爪車２４６の溝との係合により供給リール２１４の回転が禁止されていることから、持ち上げるなどのキャリー装置３を移動させる間、および、インクを展延する間に、感熱式シートＳＴが弛むことを防止することができる。
【００９２】
≪キャリー装置３がステーション装置２から離脱された離脱状態における動作≫
図１４は、リリース位置において、キャリー装置３が離脱されたステーション装置２の各部材の位置関係を示す。図１４において、操作部５０がリリース位置に位置するとき、連動作動体１０２はコイルバネ１２４の弾性付勢力により反時計回り方向に回動され、
連動作動体１０２の保持ピン１２８は保持側板部７６Ｂの操作軸部８２より下方に移動する。この保持ピン１２８の下方移動により、使用者は、操作軸部８２を図１４において右方に移動させることができる。
【００９３】
キャリー装置３をステーション装置２から離脱させるために、使用者は、上方筐体２２から突出する操作軸部８２の先端部を図１３において右方に移動させる。この操作軸部８２の移動により、保持枠７６は、両コイルバネ７８Ａ、７８Ｂの弾性付勢力に抗して図４に示す矢印Ｄ３と反対方向に回動される。この回動により、両保持鉤部８０Ａ、８０Ｂが両円形受け部８１Ａ、８１Ｂの開口部分から退避する。この退避状態において、使用者は、移送回転軸２３４の後方端部２３４Ａ、および前方端部２３４Ｂを、円形受け部８１Ａ、８１Ｂから離脱させることにより、キャリー装置３をステーション装置２から離脱させることができる。
【００９４】
（キャリー装置３の離脱状態における画像の印刷動作）
図１５は、所望画像「ＡＢＣ」の孔版部分が形成された感熱式シートＳＴが支持されたキャリー装置３を示す。ステーション装置２の基台筐体２０の上板２０Ａに載置することができない被印刷媒体、たとえば、部屋の壁、家具のパネルなどの被印刷媒体に、所望画像「ＡＢＣ」を印刷するために、使用者は、図１５に示す感熱式シートＳＴの孔版部分にインクを塗布する。その後、使用者は、図１５に示すキャリー装置３の把持部２０６を保持して、被印刷媒体に対して感熱式シートＳＴの孔版部分を位置決めする。位置決めした状態において、使用者は、スキージにより孔版部分にインクを展延する。このインクの展延により、所望画像「ＡＢＣ」が、家具のパネルなどの被印刷媒体に印刷される。
【００９５】
［実施形態の効果］
本実施形態では、図１３に示すようにキャリー装置３がステーション装置２に装着された状態と、図１５に示すようにキャリー装置３がステーション装置２から離脱された状態とのいずれの状態においても、使用者は、所望画像を被印刷媒体に印刷することができる。特に、キャリー装置３の離脱状態においては、ステーション装置２の基台筐体２０に載置することができない被印刷媒体、たとえば部屋の壁などの被印刷媒体の所望の箇所に印刷を行うことができる。
【００９６】
本実施形態では、キャリー装置３の移送回転軸２３４が両円形受け部８１Ａ、８１Ｂに保持されている状態においても、操作部５０がリリース位置に位置する限り、爪部材２５２の係止爪２５２Ａが爪車２４６の溝に係合することから、供給リール２１４から感熱式シートＳＴが不用意に繰り出されることがない。この結果、図１３に示すキャリー装置３の装着状態と、図１５に示すキャリー装置３の離脱状態とのいずれかの状態において、所望画像を印刷する場合でも、感熱式シートＳＴが弛むことはなく、被印刷媒体に鮮明な画像を形成することができる。
【００９７】
本実施形態では、キャリー装置３がステーション装置２に装着され、かつ、操作部５０がホールド位置に切り換えられた状態において、図１２に示すようにリミットスイッチ９６の可動部が連動作動体１０２の右方端部と接触し、この接触により、リミットスイッチ９６が閉成状態に変化する。この結果、キャリー装置３の離脱状態において、使用者が誤って操作部５０をホールド位置に切り換えたとしても、リミットスイッチ９６が閉成状態に変化することはなく、サーマルヘッドＴＭＨの加熱駆動を確実に防止することができる。
【００９８】
本実施形態では、被覆シートＳＬが、図２においてインクが塗布される感熱式シートＳＴの上面、すなわち孔版部分が形成される合成樹脂フィルムが存在する面と反対側の面を被覆する。この結果、巻取リール２１６に巻き取られた感熱式シートＳＴからインクが滲み出ることを低減することができる。
【００９９】
本実施形態では、供給回転軸２３２、巻取回転軸２３８、および被覆回転軸２４０を、右方補助枠部２２８、および左方補助枠部２３０から図８において前方に引き抜くことができる。この引き抜き作業により、供給リール２１４、巻取リール２１６、および被覆リール２１８を取り外し、新たな感熱式シートが巻かれた供給リール、巻取リール、および新たな被覆シートが巻かれた被覆リールと交換することができる。
【０１００】
本実施形態では、操作部５０がホールド位置に位置する限り、図１２に示すように、連動作動体１０２の保持ピン１２８が保持側板部７６Ｂの操作軸部８２と当接する位置に移動する。ホールド位置において、使用者が誤って操作軸部８２を図１２において右方に移動させようとしても、保持ピン１２８と操作軸部８２との当接により、操作軸部８２の移動操作が規制される。この結果、操作部５０がホールド位置に位置する限り、両保持鉤部８０Ａ、８０Ｂが両円形受け部８１Ａ、８１Ｂの開口部分の一部を塞ぐ保持状態は、保持ピン１２８と操作軸部８２との当接により確実に保持される。
【０１０１】
＜構成の対応関係＞
スクリーン印刷機１、ステーション装置２、およびキャリー装置３は、本発明の印刷機、印刷本体装置、およびシート収容装置の一例である。感熱式シートＳＴ、および被覆シートＳＬは、本発明の感熱式シート、および被覆シートの一例である。サーマルヘッドＴＭＨは、本発明のサーマルヘッドの一例である。リミットスイッチ９６は、スイッチ手段の一例である。連動作動体１０２は、本発明のスイッチ作動部材の一例である。トランジスタ３１０、抵抗３１２、および、トランジスタ３１０に接続される回路の組み合わせが、本発明の回路手段の一例である。供給リール２１４、および供給回転軸２３２は、本発明のシート供給部材の一例である。巻取リール２１６、および巻取回転軸２３８は、本発明のシート巻取部材の一例である。前方支持体２１０、および後方支持体２１２は、本発明のシート支持部材の一例である。移送駆動ローラ２２４、および移送回転軸２３４は、本発明のシート移送部材の一例である。被覆リール２１８、および被覆回転軸２４０は、本発明の被覆シート供給部材の一例である。爪車２４６は、本発明の多数の係止溝が形成された回転体の一例であり、爪部材２５２は、本発明の係止爪を有する係止部材の一例であり、コイルバネ２６０は、本発明の付勢部材の一例である。揺動作動体２５４は、本発明の第１作動部材の一例であり、操作作動体９８の第２作動部１０８は、本発明の第２作動部材の一例である。移送従動ローラ４４は、本発明の移送ローラの一例である。ヘッド支持機構４２、およびローラ支持機構４６は、本発明の支持機構の一例である。操作部５０は、本発明の操作部材の一例である。連動機構５４は、本発明の連結機構の一例である。
【０１０２】
＜変形例＞
本発明は、本実施形態に限定されることはなく、その趣旨を逸脱しない範囲において種々の変形が可能である。以下にその変形の一例を述べる。
【０１０３】
（１）本実施形態では、本発明の印刷機がスクリーン印刷機に具体化されたが、この構成に限定されない。印刷本体装置がサーマルヘッドを備え、シート収容装置が印刷本体装置に対して着脱可能な構成であれば、たとえば、特許第２８６１３９５号公報などに記載されるスタンプ作成装置に本発明が具体化されてもよい。
【０１０４】
（２）本実施形態では、ヘッド支持機構４２は、サーマルヘッドユニット４０を支持する構成であるが、サーマルヘッドＴＭＨのみを支持し、ヘッド駆動回路ＤＴＭが、制御回路基板３２、または電源回路基板３４に設けられる構成であってもよい。
【０１０５】
（３）本実施形態では、リミットスイッチ９６、およびトランジスタ３１０は、サーマルヘッドＴＭＨへの電力供給を制御するために設けられるが、この構成に限定されない。たとえば、制御回路３００が、リミットスイッチ９６の開閉状態を検出し、その検出結果に従って、トランジスタ３１０のオンオフを制御する構成であってもよい。または、制御回路３００が、リミットスイッチ９６の開閉状態を検出し、その検出結果に従って、印刷データに基いて生成したヘッド制御信号をヘッド駆動回路ＤＴＭに供給する動作と、その供給を禁止する動作とを制御する構成であってもよい。
【０１０６】
（４）本実施形態では、使用者が摘み２４２を回転操作することにより、巻取リール２１６は、感熱式シートＳＴ、および被覆シートＳＬを巻き取る構成であるが、この構成に限定されない。たとえば、印刷本体装置２が、シート送りモータ８４の回転を巻取回転軸２３８に伝達するために歯車列および伝達ベルトなどを含む動力伝達機構を備え、キャリー装置３が印刷本体装置２に装着されたときに、巻取回転軸２３８がシート送りモータ８４により回転される構成であってもよい。
【０１０７】
（５）本実施形態では、使用者は、図１５に示すキャリー装置３を被印刷媒体に対して位置決めする作業を、目測により行うが、この構成に限定されない。たとえば、キャリー装置３が、水平状態にあるか否かを測定する水準器を備え、使用者は、水準器を見てキャリー装置３を位置決めする構成であってもよい。
【０１０８】
（６）本実施形態では、図１２に示すように操作作動体９８の第２作動部１０８が揺動作動体２５４の右方端部を押し上げることにより、爪部材２５２の係止爪２５２Ａを爪車２４６の溝から離脱させる構成であるが、この構成に限定されない。たとえば、操作作動体９８の第２作動部１０８が爪部材２５２の一部に直接に係合することにより、爪部材２５２の係止爪２５２Ａを爪車２４６の溝から離脱させる構成であってもよい。
【０１０９】
（７）本実施形態では、図１２に示すように揺動作動体２５４がキャリー装置３に配置される構成であるが、この構成に限定されない。たとえば、揺動作動体２５４に相当する部材が印刷本体装置２に配置され、キャリー装置３が装着されるときに、その相当する部材が、キャリー装置３の一部と係合することにより、図１２に示す連動作動体１０２の左方端部と、操作作動体９８の第２作動部１０８との間に進入する構成であってもよい。
【０１１０】
（８）本実施形態では、キャリー装置３に配置された移送駆動ローラ２２４が、シート送りモータ８４により駆動され、印刷本体装置２に配置された移送従動ローラ４４が、移送駆動ローラ２２４の回転に従動して回転する構成であるが、この構成に限定されない。たとえば、移送従動ローラ４４に相当する印刷本体装置２のローラが、シート送りモータ８４により駆動され、移送駆動ローラ２２４に相当するキャリー装置３のローラが従動して回転する構成であってもよい。
【０１１１】
（９）本実施形態では、キャリー装置３をステーション装置２から離脱させるために、使用者が操作軸部８２を移動操作することにより、両円形受け部８１Ａ、８１Ｂの開口部分から両保持鉤部８０Ａ、８０Ｂを退避させる構成であるが、この構成に限定されない。たとえば、使用者が操作部５０をホールド位置からリリース位置に切り換えることにより、両保持鉤部８０Ａ、８０Ｂが両円形受け部８１Ａ、８１Ｂの開口部分から退避するように、保持機構４８と操作部５０とを連動させる機構を備える構成であってもよい。
【符号の説明】
【０１１２】
１    スクリーン印刷機
２    ステーション装置
３    キャリー装置
４２    ヘッド支持機構
４４    移送従動ローラ
４６    ローラ支持機構
５０    操作部
５４    連動機構
９６    リミットスイッチ
９８    操作作動体
１０２    連動作動体
１０８    第２作動部
２１０    前方支持体
２１２    後方支持体
２１４    シート供給リール
２１６    シート巻取リール
２１８    被覆リール
２２４    移送駆動ローラ
２３２    供給回転軸
２３４    移送回転軸
２３８    巻取回転軸
２４０    被覆回転軸
２４６    爪車
２５２    爪部材
２５４    揺動作動体
２６０    コイルバネ
３００    制御回路
３１０    トランジスタ
ＴＭＨ    サーマルヘッド
ＳＴ    感熱式シート
ＳＬ    被覆シート
【図１】
2016187867.tif 000003
【図２】
2016187867.tif 000004
【図３】
2016187867.tif 000005
【図４】
2016187867.tif 000006
【図５】
2016187867.tif 000007
【図６】
2016187867.tif 000008
【図７】
2016187867.tif 000009
【図８】
2016187867.tif 000010
【図９】
2016187867.tif 000011
【図１０】
2016187867.tif 000012
【図１１】
2016187867.tif 000013
【図１２】
2016187867.tif 000014
【図１３】
2016187867.tif 000015
【図１４】
2016187867.tif 000016
【図１５】
2016187867.tif 000017